【手続補正書】
【提出日】平成26年1月15日(2014.1.15)
【手続補正１】
【補正対象書類名】特許請求の範囲
【補正対象項目名】全文
【補正方法】変更
【補正の内容】
【特許請求の範囲】
【請求項１】
容器用の容器蓋部であって、
外縁に延設される円周リムを含んだ円盤状部材を備え、
前記円盤状部材の円周リムは、隆起した環状内側壁及び前記隆起した環状内側壁に略平行に対向して前記隆起した環状内側壁の周りに延設された隆起した環状外側壁を備え、
前記隆起した環状外側壁は、前記隆起した環状内側壁に対向する第１の環状リブを形成する凹みを有し、
前記隆起した環状外側壁及び前記隆起した環状内側壁は、環状頂壁によって接続され、
前記環状頂壁は、前記隆起した環状外側壁及び前記隆起した環状内側壁に対して略垂直であり、
前記隆起した環状内側壁は、液漏れを防止し、前記容器蓋部と前記容器とを封止するために、前記隆起した環状外側壁に対向するように、前記隆起した環状内側壁に沿って配置される第２及び第３の環状リブを有し、
前記第２及び第３の環状リブは、相互に平行な一続きの各リングにおいて、前記隆起した環状外側壁の前記第１の環状リブに略平行に配置され、
前記第２の環状リブが前記隆起した環状内側壁の上側の部分に近接して配置され、前記第３の環状リブが前記第１のリブの下側に配置され、
前記第２及び第３の環状リブは、それぞれ、前記容器の内壁の平坦な内周面に対して、おおむね凸状の輪郭を含み、それらの間に環状リブ溝部を形成し、
前記環状内側壁の前記環状リブ溝部は、前記第２及び第３の環状リブの中間にあり、前記第２の環状リブの下側、かつ前記第３の環状リブの上側に配置され、
前記容器蓋部が前記環状頂壁を最上面にした状態であるとき、前記第１の環状リブは、前記第３のリブより高い位置にあり、前記第２及び第３の環状リブは、前記容器の前記平坦な内周面を封止し、前記容器蓋部を前記容器の縁に固定させる保持領域を提供することを特徴とする容器蓋部。
【請求項２】
前記環状頂壁は、前記容器蓋部が前記縁に取り付けられる場合、前記縁に対する前記容器蓋部の位置を容易に確認できるように、前記容器の縁を視認するための一定の間隔で置かれた複数の目印を含むことを請求項１に記載の容器蓋部。
【請求項３】
前記目印が穴であり、
前記第２及び第３の環状リブは、液体が前記穴に達するのを十分に防止することを特徴とする請求項２に記載の容器蓋部。
【請求項４】
前記環状頂壁の目印は、４つの穴を含み、
前記穴は、前記縁を視認するために、前記容器蓋部の各四分円において相互に径方向に対向して配置されることを特徴とする請求項２又は３に記載の容器蓋部。
【請求項５】
前記容器蓋部から上方に向かって延設される突出部材を備え、
前記突出部材は、その頂部に設けられた開口を備え、
前記突出部材は、前記円盤状部材と一体に形成される基部を備え、
前記突出部材の頂部及び基部は幅を持ち、
前記基部の幅が前記突出部材の頂部の幅より大きく、
前記突出部材は、前記容器蓋部の最近位部分から所定の距離をもって離間していることを特徴とする請求項１乃至４の何れか１項に記載の容器蓋部。
【請求項６】
前記突出部材は、使用者がその開口を介して前記容器から液体を注ぎ出す飲み口を備え、
前記突出部材は、前記容器蓋部の上に置かれる第２の容器を支持する支持面を含むことを特徴する請求項５に記載の容器蓋部。
【請求項７】
第２の容器を受け、その底面を係合するように、前記容器蓋部の上面に凹状円形溝を備えることを特徴とする請求項５又は６に記載の容器蓋部。
【請求項８】
前記容器蓋部の底面の部分は、おおむね平坦な形状であり、三日月形をした底溝部を含み、
前記底溝部は、前記容器から内表面に沿って前記開口へと液体を案内するノズルを形成する少なくとも一つの壁を含むことを特徴とする請求項５乃至７の何れか１項に記載の容器蓋部。
【請求項９】
前記突出部材の基部は、おおむねＣ形状の輪郭を有することを特徴とする請求項５乃至８の何れか１項に記載の容器蓋部。
【請求項１０】
前記突出部材は、前記容器蓋部の底面から前記突出部材の頂部までの高さが規定され、
前記高さは、前記容器蓋部の直径のおおむね２５％であることを特徴とする請求項５乃至９の何れか１項に記載の容器蓋部。
【請求項１１】
前記突出部材は、おおむね三角形の断面を有する飲み口を備え、
前記飲み口は、前記基部から前記頂部まで区画され、
前記飲み口は、第１の側面及び第２の側面を有し、
前記第１の側面及び第２の側面によって、使用者が前記開口から液体を注ぎ出すことができることを特徴とする請求項５に記載の容器蓋部。
【請求項１２】
前記凹状円形溝は、前記容器蓋部を補強し、前記容器蓋部の上に置かれる第２の容器を積み重ねることを特徴とする請求項７に記載の容器蓋部。
【請求項１３】
前記開口は、楕円形であり、前記飲み口の頂面に配置されることを特徴とする請求項６又は１１に記載の容器蓋部。
【請求項１４】
前記容器蓋部から上方に向かって延設される突出部材を備え、
前記突出部材は、その頂部に設けられた開口を備え、
前記突出部材は、前記円盤状部材と一体に形成される基部を備え、
前記突出部材の頂部及び基部は幅を持ち、
前記基部の幅が前記突出部材の頂部の幅より大きく、
前記突出部材は、飲み口を形成し、
前記飲み口は、頂面、正面、背面、第１の側面及び第２の側面を含み、
前記頂面は、平坦であって、開口を備え、
前記正面は、前記背面に対向し、
前記第１の側面及び第２の側面は、おおむね三角形の断面を有する飲み口を形成するように角度をなして先細りとなり、
前記飲み口は、前記容器の底面部分の直径の約２５％の高さを有し、
前記飲み口は、前記容器蓋部の最近位部分から所定の距離をもって離間していることを特徴とする請求項１に記載の容器蓋部。
【請求項１５】
前記環状頂壁は、前記容器蓋部が前記縁に取り付けられる場合、前記縁に対する前記容器蓋部の位置を容易に確認できるように、前記容器の前記縁を視認するための一定の間隔で置かれた複数の目印を含むことを特徴とする請求項１４に記載の容器蓋部。
【請求項１６】
前記目印が穴であることを特徴とする請求項１５に記載の容器蓋部。
【請求項１７】
前記目印は、前記縁を視認するために、前記容器蓋部の各四分円において相互に径方向に対向して配置されることを特徴とする請求項１５又は１６に記載の容器蓋部。
【請求項１８】
前記容器蓋部の上面に凹状円形溝を備えることを特徴とする請求項１４乃至１７の何れか１項に記載の容器蓋部。
【請求項１９】
前記飲み口は、前記容器蓋部の上に置かれる第２の容器を支持する表面を提供することを特徴とする請求項１４乃至１８の何れか１項に記載の容器蓋部。
【請求項２０】
前記飲み口は、第１の基部及び第２の基部を備え、
前記第１の基部及び第２の基部は、第１の容器の上に第２の容器を積み重ねるために、前記容器蓋部に置かれた前記第２の容器を横方向及び縦方向に支持する、おおむねＣ形状の円弧を形成することを特徴とする請求項１４乃至１９の何れか１項に記載の容器蓋部。
【請求項２１】
前記開口は、楕円形であり、前記飲み口の頂面に配置され、
前記頂面が楕円形で平坦な面を形成することを特徴とする請求項１４乃至２０の何れか１項に記載の容器蓋部。
【請求項２２】
前記容器蓋部の底面の部分は、おおむね平坦な形状であり、三日月形をした底溝部を含み、
前記底溝部は、前記容器から内表面に沿って前記開口へと液体を案内するノズルを形成する少なくとも一つの壁を含むことを特徴とする請求項１４乃至２１の何れか１項に記載の容器蓋部。
【請求項２３】
前記凹状円形溝は、前記第２の容器の底面を受け、それと係合することを特徴とする請求項１８に記載の容器蓋部。
【請求項２４】
容器用の蓋体であって、外縁に延出する円周リムを含んだ円盤状部材を備え、
前記円盤状部材の前記円周リムは、隆起した環状内側壁及び隆起した環状外側壁を備え、
前記隆起した環状外側壁は、前記隆起した環状内側壁の周りに延設され、前記隆起した環状内側壁に略平行に対向し、
前記隆起した環状外側壁及び前記隆起した環状内側壁は、環状頂壁によって接続され、
前記環状頂壁は、前記隆起した環状外側壁及び前記隆起した環状内側壁に対して略垂直であり、
前記隆起した環状内側壁は、相互に平行な一続きの各リングにおいて、第１及び第２の環状リブを有し、
前記第１の環状リブは、前記隆起した環状内側壁の上側の部分に近接して配置され、前記第２の環状リブは、前記第１の環状リブの下側に配置され、
前記第１及び第２の環状リブは、それぞれ、前記容器の内周面に対して、おおむね凸状の輪郭を含み、それらの間に環状リブ溝部を形成し、
前記隆起した環状内側壁の前記環状リブ溝部は、前記第１及び第２の環状リブの中間にあり、前記第１の環状リブの下側、かつ前記第２の環状リブの上側に配置され、
前記環状リブ溝部は、前記容器が傾けられて中身がこぼれようとするとき、前記第２の環状リブを越えて浸み出す液体を、前記第１の環状リブより前で、留めるように設けられ、
前記隆起した環状内側壁の前記第１及び第２の環状リブは、それによって、液こぼれを十分に防止するために前記蓋体が取付けられた前記容器の平坦な壁に対して主封止面を形成し、
前記隆起した環状内側壁に対向するように、第３のリブが前記隆起した環状外側壁に形成され、
前記第３のリブは、前記蓋体が前記環状頂壁を最上面にした状態であるとき、前記第２の環状リブより高い位置にあり、
前記第３のリブは、凹みによって形成され、前記蓋体を前記容器の縁に固定させる保持領域を提供し、
前記第３のリブは、前記環状内側壁の前記第１及び第２の環状リブに対向するように、前記環状外側壁に形成されることを特徴とする蓋体。
【請求項２５】
容器用の容器蓋部であって、外縁に延出する円周リムを含んだ円盤状部材を備え、
前記円盤状部材の前記円周リムは、隆起した環状内側壁及び隆起した環状外側壁を備え、
前記隆起した環状外側壁は、前記隆起した環状内側壁の周りに延設され、前記隆起した環状内側壁に略平行に対向し、
前記隆起した環状外側壁及び前記隆起した環状内側壁は、環状頂壁によって接続され、
前記環状頂壁は、前記隆起した環状外側壁及び前記隆起した環状内側壁に対して略垂直であり、
前記隆起した環状外側壁は、前記隆起した環状外壁に沿って環状に延在する第１のリブを形成する凹みを含み、
前記第１のリブは、前記容器の平坦な外壁に対して、凸状の輪郭を含み、
リブ片が前記第１のリブを介して形成され、前記リブ片は、前記環状頂壁の遠位に配置された張り出し端部を有し、
第２の環状リブが、前記隆起した環状外側壁に対向するように、前記隆起した環状内側壁に形成され、
前記容器蓋部は、前記第１のリブと前記隆起した環状内側壁の前記第２の環状リブとの間で、前記容器の縁及び平坦な壁を固定することができ、
第３の環状リブが、前記隆起した環状外側壁に対向するように、前記隆起した環状内側壁の前記第２の環状リブの下側に形成され、
前記第３の環状リブは、前記第１のリブより低い位置にあり、
前記第２及び第３の環状リブは、前記容器の前記平坦な外壁に対して封止を与えるように構成されることを特徴とする容器蓋部。
【請求項２６】
前記第１の環状リブは、前記隆起した環状外側壁に沿って配置され、副封止面を提供し、
前記第１の環状リブは、前記容器蓋部の前記外縁の円周の周りに一続きのリングを形成することを特徴とする請求項１乃至２３の何れか１項に記載の容器蓋部。
【請求項２７】
前記第３の環状リブは、前記隆起した環状外側壁に沿って配置され、副封止面を提供し、
前記第３の環状リブは、前記蓋体の前記外縁の円周の周りに一続きのリングを形成することを特徴とする請求項２４に記載の蓋体。
【請求項２８】
前記第１のリブは、前記隆起した環状外側壁に沿って配置され、副封止面を提供し、
前記第１のリブは、前記容器蓋部の前記外縁の円周の周りに一続きのリングを形成し、
前記第２及び第３の環状リブは、その間に溝部を構成して、前記容器に対して十分な漏れ止めシールを提供することを特徴とする請求項２５に記載の容器蓋部。
【請求項２９】
前記環状頂壁と前記環状内側壁及び前記環状外側壁の上部において、縁部の貯留用の溝部を備え、
前記環状頂壁が最上面となるように前記容器蓋部を方向付けた場合、前記第２の環状リブは、前記縁部の貯留用の溝部に隣接し、前記第３の環状リブは、前記隆起した環状内側壁の前記第２の環状リブの下側に配置されることを特徴とする請求項２５に記載の容器蓋部。
【請求項３０】
前記環状内側壁及び前記環状外側壁は、略Ｕ字状に凹んだ溝を形成し、
前記略Ｕ字状に凹んだ溝へ向けて延出する凸状の部分を有する前記環状外側壁に、前記第１のリブの凸状の部分が形成され、
前記凸状の部分に対向するように、凹状の部分が前記環状外側壁に形成され、
前記凹状の部分は、前記外縁に沿って露出する窪みを形成することを特徴とする請求項２５に記載の容器蓋部。